(57)【要約】【課題】既存の物を簡単に補強することができる支柱支持具および支柱を提供する。【解決手段】支柱支持具１は、支持台部２と、支持台部２に取付けられた支柱収容部３と、支持台部２を柵に取付け可能な取付部４を備える。支柱収容部３の一端には、開口した開口部が形成されている。開口部８を介して外部と支柱収容部３の内部が連通している。支柱収容部３は、他端に閉塞した閉塞部を有する。支持台部２の縁部には、外側に向けて開放した横部材用凹部６が形成されている。取付部４は、一端側にフックが設けられた、かつ、他端側にネジ山が設けられたフック付き金具４Ａを有する。取付部４は、フック付き金具４Ａのネジ山に係合可能なネジ溝が内部に形成された蝶ナット４Ｂを有する。【選択図】図１
2015100311.tif 000002
【特許請求の範囲】
【請求項１】
支持台部と、
該支持台部に取付けられた、かつ、一端に開口した開口部が形成された、かつ、同開口部を介して外部と内部が連通した、かつ、他端に閉塞した閉塞部を有する支柱収容部と、
前記支持台部を取付対象物に取付け可能な取付部とを備える
支柱支持具。
【請求項２】
前記支柱収容部の前記他端が前記支持台部に取付けられ、
前記支柱収容部の外側表面に取付けられたフック部を備える
請求項１に記載の支柱支持具。
【請求項３】
前記フック部は、前記支柱収容部の一端側に向けて延びた第１の部材と、前記支柱収容部の他端側に向けて延びた第２の部材とを有する
請求項２に記載の支柱支持具。
【請求項４】
前記支持台部に、外側に向けて開放した凹部が形成された
請求項１、請求項２または請求項３に記載の支柱支持具。
【請求項５】
支持台部と、該支持台部に取付けられた、かつ、一端に開口した開口部が形成された、かつ、同開口部を介して外部と内部が連通した、かつ、他端に閉塞した閉塞部を含む支柱収容部と、前記支持台部を取付対象物に取付け可能な取付部とを有する支柱支持具と、
前記支柱収容部の内部に挿入された少なくとも一部が同支柱収容部に固着された支柱本体とを備える
支柱。
【発明の詳細な説明】
【技術分野】
【０００１】
本発明は支柱支持具および支柱に関する。詳しくは、例えば電気柵用の支柱を支持するために使用される支柱支持具および、例えば電気柵用の着脱可能な支柱に係るものである。
【背景技術】
【０００２】
２つの土地の境界線を隔てて、人や乗り物などの侵入を防止することを目的として設置される構造物である柵が存在する。
また、柵は、木材や竹などを支柱として等間隔に並べ、支柱と支柱の間を渡すように木材や竹などを横方向に固定して作られる。
【０００３】
また、柵と同様の目的で設置される構造物として、ワイヤーが網状に配置されて構成されたワイヤーメッシュフェンスも存在する。
【０００４】
例えば特許文献１には、図８に示すワイヤーメッシュフェンスが記載されている。
すなわち、特許文献１に記載のワイヤーメッシュフェンス１３１は、横方向に延びて配設されるワイヤーから成る複数本の横格子１３２と、縦方向に延びて配設されるワイヤーから成る複数本の縦格子１３３とを備える。
【０００５】
また、横格子１３２は、縦方向全幅に及んで同一ピッチ、例えば１５０ｍｍのピッチで平行に配設されている。
【０００６】
一方、縦格子１３３は、縦方向下段部１３４において、横格子１３２の略１／２ピッチ、例えば７５ｍｍのピッチで平行に配設されている。また、縦格子１３３は、縦方向下段部１３４を超えて縦方向上端まで延びる縦方向上段部１３５において、横格子１３２と略同一ピッチ、例えば１５０ｍｍのピッチで平行に配設されている。
【０００７】
従って、縦方向上段部１３５の格子目１３８は、ピッチが縦横それぞれ例えば１５０ｍｍに形成され、例えば鹿が通り抜けようとする力で横格子１３２または縦格子１３３が多少変形しても、鹿が通り抜けできない寸法に形成されている。
【０００８】
また、縦方向下段部１３４の格子目１３６は、縦のピッチが例えば１５０ｍｍ、横のピッチが例えば７５ｍｍとなるように形成されている。格子目１３６の横のピッチが格子目１３８の横のピッチの略１／２の大きさとなり、例えば鹿が通り抜けようとする力で横格子１３２または縦格子１３３が多少変形しても、成体のイノシシや鹿は勿論のこと、ウリボウが通り抜けできない寸法に形成されている。
【先行技術文献】
【特許文献】
【０００９】
【特許文献１】実用新案登録第３１６８８３２号公報
【発明の概要】
【発明が解決しようとする課題】
【００１０】
ところで、例えば猿であれば、特許文献１に記載のようなワイヤーメッシュフェンスは越えられてしまう可能性がある。
そこで、対策として、ワイヤーメッシュフェンスを取外して、さらに高さの高いワイヤーメッシュを設置したり、電気柵を設置したりすること等が考えられる。
【００１１】
しかし、このような対策では費用が嵩んだり、多大な労力を必要としたりするので、既存の柵などを簡単に補強できるものが求められていた。
【００１２】
本発明は、以上の点に鑑みて創案されたものであり、既存の物を簡単に補強することができる支柱支持具および支柱を提供することを目的とする。
【課題を解決するための手段】
【００１３】
上記の目的を達成するために、本発明の支柱支持具は、支持台部と、該支持台部に取付けられた、かつ、一端に開口した開口部が形成された、かつ、同開口部を介して外部と内部が連通した、かつ、他端に閉塞した閉塞部を有する支柱収容部と、前記支持台部を取付対象物に取付け可能な取付部とを備える。
【００１４】
ここで、一端に開口した開口部が形成された、かつ、開口部を介して外部と内部が連通した、かつ、他端に閉塞した閉塞部を有する支柱収容部によって、支柱の一部を内部に挿入して支柱を支持することができる。
【００１５】
また、支持台部を取付対象物に取付け可能な取付部によって、支柱を支持する支柱収容部が取付けられた支柱台部を取付対象物に取付けることができる。
【００１６】
また、本発明の支柱支持具は、支柱収容部の他端が支持台部に取付けられ、支柱収容部の外側表面に取付けられたフック部を備えるものとすることができる。
【００１７】
この場合、フック部に網状物を引っ掛けて、網状物を支柱支持具に取付けることができる。
【００１８】
また、本発明の支柱支持具において、フック部は、支柱収容部の一端側に向けて延びた第１の部材と、支柱収容部の他端側に向けて延びた第２の部材とを有するものとすることができる。
【００１９】
この場合、支柱収容部の一端側に向けて延びた第１の部材によって、網状物の上縁部および網状物の上縁部に沿って取付けられた補強用ロープを引っ掛けることができる。
また、この場合、支柱収容部の他端側に向けて延びた第２の部材によって、補強用ロープを巻き付けることができる。
【００２０】
また、本発明の支柱支持具において、支持台部に、外側に向けて開放した凹部が形成されたものとすることができる。
【００２１】
この場合、取付対象物との接触面積を大きくすることができる。
【００２２】
また、上記の目的を達成するために、本発明の支柱は、支持台部と、該支持台部に取付けられた、かつ、一端に開口した開口部が形成された、かつ、同開口部を介して外部と内部が連通した、かつ、他端に閉塞した閉塞部を含む支柱収容部と、前記支持台部を取付対象物に取付け可能な取付部とを有する支柱支持具と、前記支柱収容部の内部に挿入された少なくとも一部が同支柱収容部に固着された支柱本体とを備える。
【００２３】
ここで、支持台部を取付対象物に取付け可能な取付部によって、支柱本体を支持する支柱収容部が取付けられた支柱台部を取付対象物に取付けることができる。
また、支柱収容部の内部に挿入された少なくとも一部が支柱収容部に固着された支柱本体によって、支柱本体を支柱収容部に取付ける手間を省くことができる。
【発明の効果】
【００２４】
本発明に係る支柱支持具は、既存の物を簡単に補強することができる。
本発明に係る支柱は、既存の物を簡単に補強することができる。
【図面の簡単な説明】
【００２５】
【図１】本発明を適用した支柱支持具の一例を示す概略側面図である。
【図２】図１に示す取付部を省略した状態の本発明を適用した支柱支持具の一例を示す概略正面図である。
【図３】図２のＡ−Ａ線に沿った概略断面図である。
【図４】図１に示す取付部を省略した状態の本発明を適用した支柱支持具の一例を示す概略平面図である。
【図５】図１に示す取付部を省略した状態の本発明を適用した支柱支持具の一例を示す概略底面図である。
【図６】本発明を適用した支柱の一例を示す概略図である。
【図７】本発明を適用した支柱の使用状態の一例を示す概略図である。
【図８】従来のワイヤーメッシュフェンスを示す概略図である。
【発明を実施するための形態】
【００２６】
以下、本発明の実施の形態について図面を参照しながら説明し、本発明の理解に供する。
図１は、本発明を適用した支柱支持具の一例を示す概略側面図である。
また、図２は、図１に示す取付部を省略した状態の本発明を適用した支柱支持具の一例を示す概略正面図である。
【００２７】
また、図３は、図２のＡ−Ａ線に沿った概略断面図である。
また、図４は、図１に示す取付部を省略した状態の本発明を適用した支柱支持具の一例を示す概略平面図である。
また、図５は、図１に示す取付部を省略した状態の本発明を適用した支柱支持具の一例を示す概略底面図である。
【００２８】
本発明の支柱支持具１は、支持台部２を備える。
また、図３に示すように、支持台部２には、支持台部２の一方側の内側面と外側面との間を貫通する貫通孔９が形成されている。
【００２９】
また、支持台部２の内部は、貫通孔９を介して外部と連通している。
また、支持台部２の、貫通孔９が形成された側とは反対側は開放されている。また、この反対側を介して、支持台部２の内部と外部は連通している。
【００３０】
また、本発明の支柱支持具１は、支持台部２に取付けられた支柱収容部３を備える。
ここで、支柱収容部３の一端には、開口した開口部８が形成されている。
また、この開口部８を介して外部と支柱収容部３の内部が連通している。
また、支柱収容部３は、他端に閉塞した閉塞部８Ａを有し、支柱収容部３の他端側が支持台部２に取付けられている。
【００３１】
また、支柱収容部３の一端と他端とを結ぶ中央軸線（図示せず。）に対して直交する方向の支柱収容部３の断面形状は、略円形である。
【００３２】
また、支持台部２の、貫通孔９が形成された側とは反対側の縁部には、外側に向けて開放した横部材用凹部６が形成されている。
ここで、横部材用凹部６は、支柱収容部３の一端と他端とを結ぶ中央軸線（図示せず。）およびこの中央軸線の延長線（図示せず。）を境界線として、支持台部２の一方側に、この境界線とは反対側に向けて開放した凹部である。
【００３３】
また、図３に示すように、横部材用凹部６は、貫通孔９を通る中央軸線（図示せず。）を挟んで一方側と他方側に形成されている。
また、図４および図５に示すように、横部材用凹部６は、支持台部２の略中央部を挟んで一方側と他方側に形成されている。
すなわち、横部材用凹部６は４箇所に形成されているが、この数に限定されるものではないことは勿論である。
【００３４】
また、図３から判るように、支柱収容部３は、支持台部２の貫通孔９が形成された側に傾斜して、貫通孔９を通る中央軸線（図示せず。）を境にして支持台部２の一方側に取付けられている。
【００３５】
また、本発明の支柱支持具１は、支持台部２を取付対象物例えば柵に取付け可能な取付部４を備える。
また、取付部４は、一端側にフックが設けられた、かつ、他端側にネジ山が設けられたフック付き金具４Ａを有する。
また、取付部４は、フック付き金具４Ａのネジ山に係合可能なネジ溝が内部に形成された蝶ナット４Ｂを有する。
【００３６】
また、ネジ山が設けられた、フック付き金具４Ａの他端側が貫通穴９に通され、蝶ナット４Ｂの内部に形成されたネジ溝がネジ山に係合されて、取付部４は支持台部２に着脱可能に取付けられる。
【００３７】
また、本発明の支柱支持具１は、支柱収容部３の外側表面に取付けられたフック部５を備える。
ここで、フック部５は、支柱収容部３の一端側に向けて延びた第１の部材５Ａと、支柱収容部３の他端側に向けて延びた第２の部材５Ｂとを有する。
【００３８】
また、図４および図５から判るように、支持台部２の略中央部には、横部材用凹部６と略同じ方向に開放した凹部である縦部材用凹部７が形成されている。
【００３９】
ここで、本発明の支柱支持具は、必ずしも支柱収容部の外側表面に取付けられたフック部を備えていなくてもよい。
しかし、本発明の支柱支持具が、このようなフック部を備えていれば、フック部に網状物例えばネットを引っ掛けて、ネットを支柱支持具に取付けることができるので好ましい。
【００４０】
また、フック部は、必ずしも第１の部材と第２の部材とを有していなくてもよい。
しかし、フック部が第１の部材を有していれば、ネットの上縁部およびネットの上縁部に沿って取付けられた補強用ロープを第１の部材に引っ掛けることができるので好ましい。
また、フック部が第２の部材を有していれば、補強用ロープを第２の部材に巻き付けることができるので好ましい。
【００４１】
すなわち、ネットを簡単に本発明の支柱支持具１に取付けやすくなり、その結果、本発明の支柱支持具１を取付けた柵にネットを取付けやすくなる。
【００４２】
また、必ずしも支持台部に、外側に向けて開放した凹部が形成されていなくてもよい。
しかし、このような凹部が支持台部に形成されていれば、取付対象物例えば柵の縦部材や横部材との接触面積を大きくすることができ、しっかりと支持台部を柵の縦部材や横部材に取付けることができるので好ましい。
【００４３】
また、必ずしも取付部は、フック付き金具や蝶ナットを有していなくてもよく、支持台部を取付対象物に取付けることができれば、取付対象物の種類に応じて、適宜、変更することができる。
【００４４】
例えば、取付対象物が木製の杭である場合、木製の杭に穴を開けて取付けるので、一端側にフックが設けられていない通常のボルトと、通常のナットが、取付部を構成する。
【００４５】
また、取付対象物がＣ形鋼である場合、波型ヒートンと蝶ナットが取付部を構成する。
【００４６】
ここで、波型ヒートンは、一端側にフックが設けられ、他端側にネジ山が設けられた金具である。そして、フックの形状は、略直線状の金具本体に対して略垂直な面内にて、略直線状の金具本体の端部から金具本体に対して略垂直に第１の方向に延出し、かつ、湾曲して第１の方向と反対方向である第２の方向に、第１の方向の延出長さと略同じ長さで延出した逆Ｕ字形状である。
【００４７】
また、必ずしも支柱収容部の閉塞部が在る他端側を支持台部に取付けなくてもよい。
例えば、支柱収容部の開口部を外側に向けた状態で支柱収容部を支持台部に埋め込んだようにして支柱収容部を取付けることもできる。
すなわち、図１に示すように突出させて支柱収容部を取付けなくてもよい。
【００４８】
図６は、本発明を適用した支柱の一例を示す概略図である。
図６に示す本発明の支柱１５は、本発明の支柱支持具１と、支柱収容部３の内部に挿入された一部が支柱収容部３に固着された支柱本体１０とを備える。
【００４９】
また、支柱本体１０の短手方向の断面形状は略円形である。
また、本発明の支柱１５が備える本発明の支柱支持具１は、図１に示すものと同じである。
【００５０】
次に、本発明の支柱の使用態様について説明する。
図７は、本発明を適用した支柱の使用状態の一例を示す概略図である。
【００５１】
図７に示すように、水平方向に配置された横部材１４Ａと、鉛直方向に配置された縦部材１４Ｂとが組み合わされた柵１４の上部に、本発明の支柱１５は取付けられる。
ここで、柵１４は、取付対象物の一例である。
【００５２】
また、本発明の支柱１５を柵１４に取付ける場合、フック付き金具４Ａの一端側に設けられたフックを柵１４の縦部材１４Ｂに引っ掛け、蝶ナット４Ｂを締付ける。
【００５３】
このとき、本発明の支柱１５の支持台部２に形成された横部材用凹部６に横部材１４Ａが当接し、同じく本発明の支柱１５の支持台部２に形成された縦部材用凹部７に縦部材１４Ｂが当接する。
【００５４】
そして、本発明の支柱１５の支柱収容部３の内部に挿入された一部が支柱収容部３に固着された支柱本体１０に、コイル素線で構成された導電部材支持部１１を装着し、さらにコイルバネ１３を装着する。
【００５５】
ここで、コイルバネ１３は、２つの導電部材支持部１１に挟まれており、かつ、コイルバネ１３は、２つの導電部材支持部１１に接している。
【００５６】
次に、図７に示すように、裸電線１２を導電部材支持部１１で支持して、裸電線１２を張設する。
【００５７】
その他は、通常の電気柵と同様に、電源装置を、張設された裸電線１２と電気的に接続して裸電線１２に電圧を印加できるようにする。
このようにして、既存の柵１４の上部に電気柵を設けることができる。
【００５８】
以上のように、本発明の支柱支持具は、一端に開口した開口部が形成された、かつ、開口部を介して外部と内部が連通した、かつ、他端に閉塞した閉塞部を有する支柱収容部を備えるので、支柱の一部を内部に挿入して支柱を支持することができる。
【００５９】
また、本発明の支柱支持具は、支持台部を取付対象物に取付け可能な取付部を備えるので、支柱を支持する支柱収容部が取付けられた支柱台部を取付対象物に取付けることができる。
【００６０】
従って、本発明の支柱支持具は、既存の物を簡単に補強することができる。
【００６１】
また、本発明の支柱は、支持台部を取付対象物に取付け可能な取付部によって、支柱本体を支持する支柱収容部が取付けられた支柱台部を取付対象物に取付けることができる。
【００６２】
従って、本発明の支柱は、既存の物を簡単に補強することができる。
【符号の説明】
【００６３】
１    支柱支持具
２    支持台部
３    支柱収容部
４    取付部
４Ａ  フック付き金具
４Ｂ  蝶ナット
５    フック部
５Ａ  第１の部材
５Ｂ  第２の部材
６    横部材用凹部
７    縦部材用凹部
８    開口部
８Ａ  閉塞部
９    貫通孔
１０    支柱本体
１１    導電部材支持部
１２    裸電線
１３    コイルバネ
１４    柵
１４Ａ  横部材
１４Ｂ  縦部材
１５    支柱
【図１】
2015100311.tif 000003
【図２】
2015100311.tif 000004
【図３】
2015100311.tif 000005
【図４】
2015100311.tif 000006
【図５】
2015100311.tif 000007
【図６】
2015100311.tif 000008
【図７】
2015100311.tif 000009
【図８】
2015100311.tif 000010